(57)【要約】【課題】イネの主要病害であるいもち病をほぼ完全に防除し得るイネいもち病病害防除方法の提供。【解決手段】イネの栽培において、１，８００ｃｍ２あたり０．００２〜０．４ｇの（ＲＳ）−２−シアノ−Ｎ−［（Ｒ）−１−（２，４−ジクロロフェニル）エチル］−３，３−ジメチルブチルアミドを処理した土壌にイネ種子を播種し、またはイネ種子を播種した直後の土壌に１８００ｃｍ２あたり０．００２〜０．４ｇの（ＲＳ）−２−シアノ−Ｎ−［（Ｒ）−１−（２，４−ジクロロフェニル）エチル］−３，３−ジメチルブチルアミドを処理し、育成することを特徴とするイネのいもち病病害防除方法。【選択図】　なし【特許請求の範囲】
【請求項１】
イネの栽培において、１，８００ｃｍ２あたり０．００２〜０．４ｇの（ＲＳ）−２−シアノ−Ｎ−［（Ｒ）−１−（２，４−ジクロロフェニル）エチル］−３，３−ジメチルブチルアミドを処理した土壌にイネ種子を播種し、またはイネ種子を播種した直後の土壌に１８００ｃｍ２あたり０．００２〜０．４ｇの（ＲＳ）−２−シアノ−Ｎ−［（Ｒ）−１−（２，４−ジクロロフェニル）エチル］−３，３−ジメチルブチルアミドを処理し、育成することを特徴とするイネのいもち病病害防除方法。
【請求項２】
育成が、
ａ．イネを育苗土において成長させる工程、
ｂ．ａ工程によって育成されたイネを本田に移植する工程及び
ｃ．本田において移植されたイネを成長させる工程
を含むものである請求項１に記載の方法。
【発明の詳細な説明】
【０００１】
【発明の属する技術分野】
本発明は、イネのいもち病病害防除方法に関する。
【０００２】
【従来の技術および発明が解決しようとする課題】
通常イネの栽培においては、イネを育苗土で一定期間成長させた後、該イネを本田に植え替える移植が行われる。移植時にはイネの成長段階を均一にしておく必要があり、そのためにイネ種子に浸種、催芽等の処理を行って発芽時期を揃え、更に該イネ種子を育苗土に播種し、一定期間成長させることが行われている。
従来より、イネのいもち病の防除は上記イネ栽培の中でも本田での育成段階におけるイネへのいもち病病害防除剤処理が中心であった。しかし本田でいもち病病害防除剤を処理する場合、比較的多量に処理する必要があり、また病害菌の繁殖時期にあわせて何度も処理をしなくてはならず手間がかかる等の問題があった。また、イネいもち病防除のために本田での処理の他に、各種イネいもち病病害防除剤による種子処理が行われているが、該処理では本田でのイネのいもち病をほぼ完全に防除しうるようなものは今のところ見出されていないのが現状である。したがって本田でのイネのいもち病を効率的に、しかもほぼ完全に防除可能な方法の開発が望まれていた。
【０００３】
【課題を解決するための手段】
本発明者は、かかる状況下鋭意検討した結果、イネの栽培において、特定のいもち病病害防除成分をイネ種子播種前またはイネ種子播種直後の土壌に極少量処理することで苗期のイネのいもち病がほぼ完全に防除されることのみならず、それにより本田へのいもち病菌の感染が抑えられ、本田におけるイネのいもち病が効率的にしかもほぼ完全に防除されることを見出し、本発明に至った。
即ち本発明は、
１．イネの栽培において、１，８００ｃｍ２あたり０．００２〜０．４ｇの（ＲＳ）−２−シアノ−Ｎ−［（Ｒ）−１−（２，４−ジクロロフェニル）エチル］−３，３−ジメチルブチルアミドを処理した土壌にイネ種子を播種しまたはイネ種子を播種した直後の土壌に１８００ｃｍ２あたり０．００２〜０．４ｇの（ＲＳ）−２−シアノ−Ｎ−［（Ｒ）−１−（２，４−ジクロロフェニル）エチル］−３，３−ジメチルブチルアミドを処理し、育成することを特徴とするイネのいもち病病害防除方法及び
２．育成が、
ａ．イネを育苗土において成長させる工程、
ｂ．ａ工程によって育成されたイネを本田に移植する工程及び
ｃ．本田において移植されたイネを成長させる工程
を含むものである上記１に記載の方法、
を提供するものである。
【０００４】
（ＲＳ）−２−シアノ−Ｎ−［（Ｒ）−１−（２，４−ジクロロフェニル）エチル］−３，３−ジメチルブチルアミド（以下、本有効成分と記す。）は一般名ジクロシメットとして知られている化合物であり、例えば植物防疫　第５５巻　第１号　ｐａｇｅ２３−２６　に記載されている化合物である。
【０００５】
本発明において、本有効成分は、通常本有効成分を含有するフロアブル剤、水和剤、顆粒水和剤、粒剤、粉剤等の製剤の形態、本有効成分を含有するフロアブル剤、水和剤、顆粒水和剤等の製剤を水で希釈した水希釈液（以下、本希釈液と記す。）等の様々な形態で用いることができる。
【０００６】
本有効成分を含有する製剤は本有効成分、固体担体、液体担体等の担体、界面活性剤等を混合し、必要に応じてポリビニルアルコール等水溶性高分子やＣＭＣ等の多糖類、各種防腐剤、着色剤、安定化剤などの製剤用補助剤を添加し、混合する、一般的な方法により調製される。本有効成分を含有する製剤には本有効成分が通常０．１〜８０重量％含有される。
【０００７】
本希釈液は、本有効成分を含有するフロアブル剤、水和剤、顆粒水和剤等の製剤を水に希釈する一般的な方法によって調製される。
本希釈液における本有効成分の含有量は通常０．００２％〜４％である。
【０００８】
本発明のイネのいもち病病害防除方法は、イネの栽培において、１，８００ｃｍ２あたり０．００２〜０．４ｇの本有効成分を処理した土壌にイネ種子を播種し、またはイネ種子を播種した直後の土壌に１，８００ｃｍ２あたり０．００２〜０．４ｇの本有効成分を処理し、育成する方法である。
本有効成分は通常本有効成分を含有する製剤の形態または本希釈液の形態で土壌に処理される。
【０００９】
土壌とはイネの栽培に用いられる土壌全般を指し、例えば育苗土（育苗箱中の床土）や水田における培土が挙げられる。
【００１０】
本発明のイネのいもち病病害防除方法においては、通常イネ種子はイネの栽培において一般的に行われる浸種、催芽等の処理を行った後、土壌に播種される。
浸種、催芽等の処理としては、具体的には例えば浸種処理としてイネ種子を通常１５℃〜１８℃の温度条件下、水に約３〜５日間浸漬する処理、催芽処理として浸種処理後のイネ種子を通常３０℃〜３２℃の温度条件下、約１日間置いておく処理等が挙げられる。
これらの処理によりイネの発芽時期を揃えることが可能になる。
【００１１】
本発明のイネいもち病病害防除方法において、本有効成分を土壌に処理する方法としては、例えば本有効成分を含有する粒剤または粉剤等の製剤を土壌へ散粒または混合する方法、本希釈液を土壌に散布する方法等が挙げられる。
本有効成分を土壌に処理するには、本希釈液を適当な濃度に調製して散布する方法が好ましい。
【００１２】
本有効成分の土壌への処理量は、土壌１，８００ｃｍ２あたり０．００２ｇ〜０．４ｇ、好ましくは０．０１ｇ〜０．２ｇ、更に好ましくは０．０５ｇ〜０．１５ｇである。
【００１３】
本発明において本有効成分はイネ種子の播種前またはイネ種子を播種した直後の土壌に処理される。イネ種子を播種した直後とは、イネ種子を播種した時からイネの芽が覆土された土壌の上に出るいわゆる出芽までの期間である。また、本有効成分の処理はイネ種子播種後、覆土前であっても，覆土後であっても良い。
また、イネの出芽は、通常播種後のイネ種子を、約３０℃〜３２℃の温度条件下に３日間程度置くことにより行われる。
【００１４】
本発明において、育成とはイネを収穫できる段階にまで成長させることであり、通常は土壌に播種されたイネ種子を育苗土で約２週間〜４週間成長させ，その後該育苗土で成長させたイネを本田に移植し、そのまま本田において収穫まで成長させる方法がとられている。
また、育苗土は６０ｃｍ×３０ｃｍ×２ｃｍ程度のいわゆる育苗箱に充填された形態で使用されることが一般的である。
【００１５】
イネの栽培において、１，８００ｃｍ２あたり０．００２〜０．４ｇの本有効成分を処理した土壌にイネ種子を播種しまたはイネ種子を播種した直後の土壌に１８００ｃｍ２あたり０．００２〜０．４ｇの本有効成分を処理し、育成することにより育苗土中における苗期のイネのいもち病がほぼ完全に防除され，また、成長期におけるイネ、例えば本田におけるイネのいもち病の発生が効率的に抑えられる。
本発明において、育成はイネの栽培における通常の育成方法を適用することができる。
【００１６】
また、本発明のイネいもち病病害防除方法においては、イネ種子は、本田におけるいもち病防除効果をより高めるためにいもち病防除用の種子処理剤で予め処理されていてもよい。該種子処理剤のイネ種子への処理量及び処理方法は該種子処理剤の施用における一般的な処理量及び処理方法が適用可能である。
【００１７】
該種子処理剤の有効成分としては、具体的にはイプコナゾール、銅含有イプコナゾール、オキソリニック酸、プロクロラッズ、ペプラゾエート、チウラム・ベノミル、チウラム・チオファネートメチル、フルジオキソニル、ノニルフェノールスルホン酸銅等が挙げられる。
【００１８】
また、本発明のイネのいもち病病害防除方法においては、必要に応じて土壌に本有効成分のほかに、他のイネ病害を防除するための灌注処理剤が処理されてもよい。該灌注処理剤の土壌への処理量及び処理方法は該灌注処理剤の施用における一般的な処理量及び処理方法が適用可能である。
【００１９】
該灌注処理剤の有効成分としては具体的にはヒドロキシイソキサゾール、メタラキシル、ＴＰＮ等が挙げられる。
【実施例】
【００２０】
以下、製剤例および試験例にて本発明をさらに詳しく説明するが、本発明は以下の例のみに限定されるものではない。尚、部は重量部を表す。
【００２１】
製剤例１
本有効成分１０部、リグニンスルホン酸カルシウム３部、ラウリル硫酸ナトリウム２部及び合成含水酸化珪素８５部をよく粉砕混合することにより水和剤を得る。
【００２２】
製剤例２
本有効成分７．５部、ホワイトカーボンとポリオキシエチレンアルキルエーテルサルフェートアンモニウム塩との混合物（重量割合１：１）３５部及び水５７．５部を混合し、湿式粉砕法で微粉砕することによりフロアブル製剤を得る。
【００２３】
製剤例３
本有効成分０．３部、カオリンクレー８９．７部およびタルク１０部をよく粉砕混合することにより粉剤を得る。
【００２４】
製剤例４
本有効成分３部、合成含水酸化珪素１部、リグニンスルホン酸カルシウム２部、ベントナイト３０部、およびカオリンクレー６４部をよく粉砕混合した後、水を加えてより練り合わせ、造粒乾燥することにより粒剤を得る。
【００２５】
試験例１
水で希釈して２５００ｐｐｍの濃度に調整したイネ種子処理剤（銅含有イプコナゾール）２０ｍｌ中に、いもち病菌に感染した汚染イネ籾１０ｇを室温で１０分間浸漬した。該汚染イネ籾を風乾し、ついで通常のイネ種子の育成方法に従い、浸種処理（１８℃、３日間）、催芽処理（３０℃、１日間）を行った。製剤例２の方法にて得られたフロアブル剤を、育苗箱（１，８００ｃｍ２）１箱あたり０．１ｇまたは０．０２ｇの本有効成分量になるようそれぞれ水で懸濁して調製し、各濃度の懸濁液をイネ種子播種後に、それぞれ別の育苗箱中の土壌に散布した。ついで覆土後、該イネ種子を小型発芽器の中に置き、暗黒、多湿条件下で出芽処理（３０℃、３日間）を行った。該処理後、出芽直後のイネを温室内に移し、昼間２４℃、夜間２０℃の温度条件下で栽培した。栽培７日目以降は該栽培中のイネの周辺に別のいもち病に感染した発病イネを設置し、夜間は過湿状態に保つことで周辺に設置した発病イネからいもち病菌の胞子を飛散させ、栽培中のイネに感染させた。その後、更に７日間栽培し、いもち病に感染された栽培中のイネの発病を促進させた。温室での栽培を始めてから１０日目に発病苗率を調べ、１４日目に一葉あたりの平均病斑数を調べた。
結果を表１の▲１▼、▲２▼に示す。
【００２６】
【数１】
平均病斑数は上位２葉について各葉の病斑数を測定し、下記式により求めた。
一葉あたりの平均病斑数＝総病斑数／（調査葉数）
【数２】
発病苗率は下記式により求めた。
発病苗率（％）＝発病苗数／（発病苗数＋健全苗数）×１００
【００２７】
試験例２
種子処理剤で処理しない以外は試験例１と同様の方法を用いて、一葉あたりの平均病斑数および発病苗率を求めた。結果を表１の▲３▼，▲４▼に示す。
【００２８】
試験例３
本有効成分を含有する懸濁液を処理しない以外は育苗箱１箱を用いて試験例１と同様の試験を行った。結果を表１の▲５▼に示す。
【００２９】
試験例４
種子処理剤及び本有効成分を含有する懸濁液で処理しない以外は育苗箱１箱を用いて試験例１と同様の試験を行った。結果を表１の▲６▼に示す。
【００３０】
【表１】
2004067594.tif 000002
【００３１】
【発明の効果】
本発明によればイネの主要病害であるいもち病を効率的に防除しうる方法を提供できる。